(57)【要約】【課題】溝側壁切断方法とその装置である溝側壁切断用カッター装置の提供。【解決手段】本発明の溝側壁切断方法は、溝底の上でカッター装置を移動させながら、前記溝の側壁を溝の内側から水平方向に切断することを特徴とする。本発明の溝側壁切断用カッター装置は、溝側面を溝内の水平方向から切断する刃部を備えたカッター手段と、前記カッター手段を床面上で移動させる走行手段とを有すること特徴とする。本発明は、刃部が溝の側壁に対して水平方向から自在に接離する揺動機構や垂直方向に上下動自在な昇降機構とを有するカッター装置を用いることを特徴とする。【選択図】        図１
2010120257.tif 000002
【特許請求の範囲】
【請求項１】
溝底上を移動する走行手段を有するカッター装置を溝底で移動させながら、前記溝の側壁を溝の内側から水平方向に切断することを特徴とする溝側壁切断方法。
【請求項２】
丸鋸を刃部とするカッター装置を用いることを特徴とする請求項１の溝側壁切断方法。
【請求項３】
チェーンソーを刃部とするカッター装置を用いることを特徴とする請求項１の溝側壁切断方法。
【請求項４】
溝底上を転動するコロを走行手段とするカッター装置を用いることを特徴とする請求項1乃至請求項３の何れかに記載の溝側壁切断方法。
【請求項５】
溝底上を滑るソリを走行手段とするカッター装置を用いることを特徴とする請求項1乃至請求項３の何れかに記載の溝側壁切断方法。
【請求項６】
溝底上を転動する無端ベルトを走行手段とするカッター装置を用いることを特徴とする請求項1乃至請求項３の何れかに記載の溝側壁切断方法。
【請求項７】
刃部が溝の側壁に対して水平方向から自在に接離する揺動機構を有するカッター装置を用いることを特徴とする請求項1乃至請求項６の何れかに記載の溝側壁切断方法。
【請求項８】
刃部が垂直方向に上下動自在な昇降機構を有するカッター装置を用いることを特徴とする請求項1乃至請求項６の何れかに記載の溝側壁切断方法。
【請求項９】
刃部が溝の側壁に対して水平方向から自在に接離する揺動機構と垂直方向に上下動自在な昇降機構とを有するカッター装置を用いることを特徴とする請求項1乃至請求項６の何れかに記載の溝側壁切断方法。
【請求項１０】
昇降機構がジャッキであるカッター装置を用いることを特徴とする請求項８又は請求項９に記載の溝側壁切断方法。
【請求項１１】
昇降機構がハンドル操作されるカッター装置を用いることを特徴とする請求項８又は請求項９に記載の溝側壁切断方法。
【請求項１２】
溝側面を溝内の水平方向から切断する刃部を備えたカッター手段と、前記カッター手段を溝底上で移動させる走行手段とを有すること特徴とする溝側壁切断用カッター装置。
【請求項１３】
刃部は円盤状の丸鋸であることを特徴とする請求項１２の溝側壁切断用カッター装置。
【請求項１４】
刃部はチェーンソーであることを特徴とする請求項１２の溝側壁切断用カッター装置。
【請求項１５】
走行手段は溝底上を転動するコロであることを特徴とする請求項1２乃至請求項１４の何れかに記載の溝側壁切断用カッター装置。
【請求項１６】
走行手段は溝底上を滑るソリであることを特徴とする請求項１２乃至請求項１４に記載の溝側壁切断用カッター装置。
【請求項１７】
走行手段は溝底上を転動する無端ベルトであることを特徴とする請求項１２乃至請求項１４に記載の溝側壁切断用カッター装置。
【請求項１８】
刃部が溝の側壁に対して水平方向から自在に接離する揺動機構を有することを特徴とする請求項1２乃至請求項１７の何れかに記載の溝側壁切断用カッター装置。
【請求項１９】
刃部が垂直方向に上下動自在な昇降機構を有することを特徴とする請求項1２乃至請求項１８の何れかに記載の溝側壁切断用カッター装置。
【請求項２０】
刃部が溝の側壁に対して水平方向から自在に接離する揺動機構と刃部が垂直方向に上下動自在な昇降機構とを有することを特徴とする請求項1２乃至請求項１７の何れかに記載の溝側壁切断用カッター装置。
【請求項２１】
昇降機構はジャッキであることを特徴とする請求項１９又は請求項２０に記載の溝側壁切断用カッター装置。
【請求項２２】
昇降機構はハンドル操作されることを特徴とする請求項１９乃至請求項２１の何れかに記載の溝側壁切断用カッター装置。
【発明の詳細な説明】
【技術分野】
【０００１】
本発明は、道路の側溝等の溝、例えば、側壁だけがコンクリート製或いは断面コ字形のコンクリート製溝等、溝の側壁の上縁部側を当該溝の延在方向に沿って水平に切断して除去する溝側壁切断方法とそれに用いる溝側壁切断用カッター装置に関する。
【背景技術】
【０００２】
既設の溝(以下、既設溝ともいう)、例えば、道路の側溝等においては、路肩に当たる溝の側壁上縁部(以下、上縁部ともいう)側は損傷を受け易く、これが破損すると、溝の蓋板(コンクリート板や金属製板或いは金属製網板等)の収まりが悪くなって、蓋板が一層ガタついて損傷が急速に拡大したり、騒音を発したりするため、破損具合に応じて、溝の一方又は両側壁の上縁部側を除去したり、除去した当該部分の側壁を新たに構築するという改修工事が適宜行われる。
【０００３】
又、近時においては、側溝を挟んで路面と続く地面との段差を無くす所謂バリヤーフリーの観点から、既設溝の上縁部を切断して除去し、溝の側壁の高さを低くしたり、
低くしてから改めて側溝の蓋板を被せるという改修工事が急増している。
【発明の開示】
【発明が解決しようとする課題】
【０００４】
従来、このような溝側壁の上縁部を切除しての改修工事においては、削岩機等の破砕機を用いて溝側壁上縁部側を破壊して除去工法が採用されている。
しかし、これでは、側壁上縁部側の除去すべき部分(上縁部)を全面的に破壊することと成り、破壊作業に日時と手間とを要する。
又、これでは、破壊面が凹凸となってしまうため、改めて、比較的平に均す後処理が必要となって、作業工程が増え、一層、作業に日時と手間とを要するという不都合があった。
【０００５】
他方、このような従来の工法では、比較的幅が狭くて作業空間が小さい溝の中での、破砕機を手動操作しながらの破壊による切除工法では、多大な作業日時と手間とを要し、工事の作業効率の向上を望むことができなかった。
【０００６】
本発明は、上記のような不都合の解消を目的としてなされたもので、溝側壁の改修工事の作業効率を高める溝側壁切断方法とその方法で用いる溝側壁切断用カッター装置の提供を目的とする。
【課題を解決するための手段】
【０００７】
請求項１の溝側壁切断方法の発明は、溝底上を移動する走行手段を有するカッター装置を溝底で移動させながら、前記溝の側壁を溝の内側から水平方向に切断することを特徴とする。
【０００８】
請求項２の発明は、請求項１の溝側壁切断方法において、丸鋸を刃部とするカッター装置を用いることを特徴とする。
【０００９】
請求項３の発明は、請求項１の溝側壁切断方法において、チェーンソーを刃部とするカッター装置を用いることを特徴とする。
【００１０】
請求項４の発明は、請求項1乃至請求項３の何れかに記載の溝側壁切断方法において、溝底上を転動するコロを走行手段とするカッター装置を用いることを特徴とする。
【００１１】
請求項５の発明は、請求項1乃至請求項３の何れかに記載の溝側壁切断方法において、溝底上を滑るソリを走行手段とするカッター装置を用いることを特徴とする。
【００１２】
請求項６の発明は、請求項1乃至請求項３の何れかに記載の溝側壁切断方法において、溝底上を転動する無端ベルトを走行手段とするカッター装置を用いることを特徴とする。
【００１３】
請求項７の発明は、請求項1乃至請求項６の何れかに記載の溝側壁切断方法において、刃部が溝の側壁に対して水平方向から自在に接離する揺動機構を有するカッター装置を用いることを特徴とする。
【００１４】
請求項８の発明は、請求項1乃至請求項６の何れかに記載の溝側壁切断方法において、刃部が垂直方向に上下動自在な昇降機構を有するカッター装置を用いることを特徴とする。
【００１５】
請求項９の発明は、請求項1乃至請求項６の何れかに記載の溝側壁切断方法において、刃部が溝の側壁に対して水平方向から自在に接離する揺動機構と垂直方向に上下動自在な昇降機構とを有するカッター装置を用いることを特徴とする。
【００１６】
請求項１０の発明は、請求項８又は請求項９に記載の溝側壁切断方法において、昇降機構がジャッキであるカッター装置を用いることを特徴とする。
【００１７】
請求項１１の発明は、請求項８又は請求項１０に記載の溝側壁切断方法において、昇降機構がハンドル操作されるカッター装置を用いることを特徴とする。
【００１８】
請求項１２の溝側壁切断用カッター装置の発明は、溝側面を溝内の水平方向から切断する刃部を備えたカッター手段と、前記カッター手段を溝底上で移動させる走行手段とを有すること特徴とする。
【００１９】
請求項１３の発明は、請求項１２の溝側壁切断用カッター装置において、刃部は円盤状の丸鋸であることを特徴とする。
【００２０】
請求項１４の発明は、請求項１２の溝側壁切断用カッター装置において、刃部はチェーンソーであることを特徴とする。
【００２１】
請求項１５の発明は、請求項1２乃至請求項１４の何れかに記載の溝側壁切断用カッター装置において、走行手段は溝底上を転動するコロであることを特徴とする。
【００２２】
請求項１６の発明は、請求項１２乃至請求項１４に記載の溝側壁切断用カッター装置において、走行手段は溝底上を滑るソリであることを特徴とする。
【００２３】
請求項１７の発明は、請求項１２乃至請求項１４に記載の溝側壁切断用カッター装置において、走行手段は溝底上を転動する無端ベルトであることを特徴とする。
【００２４】
請求項１８の発明は、請求項1２乃至請求項１７の何れかに記載の溝側壁切断用カッター装置において、刃部が溝の側壁に対して水平方向から自在に接離する揺動機構を有することを特徴とする。
【００２５】
請求項１９の発明は、請求項1２乃至請求項１８の何れかに記載の溝側壁切断用カッター装置において、刃部が垂直方向に上下動自在な昇降機構を有することを特徴とする。
【００２６】
請求項２０の発明は、請求項1２乃至請求項１８の何れかに記載の溝側壁切断用カッター装置において、刃部が溝の側壁に対して水平方向から自在に接離する揺動機構と刃部が垂直方向に上下動自在な昇降機構とを有することを特徴とする。
【００２７】
請求項２１の発明は、請求項１９又は請求項２０に記載の溝側壁切断用カッター装置において、昇降機構はジャッキであることを特徴とする。
【００２８】
請求項２２の発明は、請求項１９乃至請求項２１の何れかに記載の溝側壁切断用カッター装置において、昇降機構はハンドル操作されることを特徴とする。
【発明の効果】
【００２９】
請求項１乃至請求項１１の各発明によれば、溝底がコンクリート等で施工されていない溝、例えば、側壁のみがコンクリート製である溝や、溝底がコンクリート施工されていても経年変化によって溝底が部分的に破損したり無くなったりして、溝底が平でなく凹凸のある溝では、仮に、カッター装置を用いるとしても、当該カッター装置を手持ちのままで連続的に水平移動させることは難しいが、当該カッター装置が溝底を移動できる走行手段を備えているので、溝底が平坦でなく凹凸がある環境であっても、このような溝底の環境とは無関係に、カッター装置を溝底で走行移動させることにより、溝の側壁を溝の延在方向に向かって連続的に水平切断することが容易となり、効率のよい工事を行うことができる。
【００３０】
又、側壁上縁部側の除去すべき部分(上縁部)を水平に切断し、上縁部の切断面が平らとなるため、切断面を平に均す後処理工事が無用となり、従来に較べて作業効率を著しく向上させることができる。
【００３１】
請求項１２乃至請求項２２の溝側壁切断用カッター装置の各発明によれば、何れも、溝底上に溝側壁切断用カッター装置を載せて走行(移動)させながら、除去する側壁の切断位置を溝の内側から水平に、連続的に切断して行くことができる。
【００３２】
又、走行手段を設けているので、溝底が平坦でなく凹凸がある環境であっても、このような溝底の環境とは無関係に、カッター装置を溝底で走行移動させることができると共に、溝の側壁を溝の延在方向に向かって連続的に水平切断することが容易となり、効率のよい工事を行うことができる。
【００３３】
請求項１７の溝側壁切断用カッター装置によれば、揺動手段を設けているので、切断位置に溝側壁切断用カッター装置を位置させたまま、刃部だけを切断部位に接離させて切断することができ、しかも、切断部の抵抗の大小に応じて刃部の当接力の程度を適宜加減することができる。
【００３４】
請求項１９乃至請求項２２の溝側壁切断用カッター装置の各発明によれば、何れも、
刃部が昇降機構を備えているので、溝底が平坦でなく凹凸がある環境であっても、このような溝底の環境とは無関係に、カッター装置を溝底で走行移動させながら、刃部を側壁の切断位置に自在に調整することができるので、一層、溝の側壁を溝の延在方向に向かって連続的に水平切断することが容易となり、更に効率のよい工事を行うことができる。
【発明を実施するための最良の形態】
【００３５】
本発明の最良の実施の形態を図面に示す実施例に基づいて、以下、説明する。
【実施例】
【００３６】
実施例において、本発明の溝側壁切断方法とその装置、即ち、溝底にカッター装置を降ろし、溝底の上でこのカッター装置を走行移動させながら、溝の側壁を溝の内側から水平方向に連続的に切断する溝側壁切断方法と、その方法に用いる溝側壁切断用のカッター装置の一例に付いて説明する。
【００３７】
図１は溝内にカッター装置を下ろした状態を示す断面図、図２は溝側壁切断用カッター装置２００の側面図、図３は溝側壁切断用カッター装置２００の平面図である。
【００３８】
図1において、図中の符号１は、2枚のコンクリート製の側壁のみからなり溝底にコンクリート製の底面が施工されていない溝、１１は溝１の底面即ち溝底、１２、１２は溝１の側面即ち側壁である。
【００３９】
図１において、切除される側壁上縁部の切断位置２０２に対して、カッター装置２００の刃部２０１が予め相応するよう、即ち、溝底１１にカッター装置２００を降ろした状態で、刃部２０１が目的とする側壁１２の切断位置２０２に相応するように、予めカッター装置２００の刃部２０１の高さ位置を設定して置くとよい。
【００４０】
図２及び図３において、本方法の発明に用いるカッター装置即ち溝側壁切断用カッター装置(以下、単に、カッター装置ともいう)の一例を説明する。
図２及び図３に示すカッター装置２００は、溝側面１２を溝１内の水平方向から切断する刃部２０１を備えたカッター手段２１０と、このカッター手段２０１を溝底１１上で移動させる走行手段２２０とを備えている。
【００４１】
カッター装置２００の刃部２０１は円盤状の丸鋸であるが、これに限らず、刃部２０１はチェーンソーで構成してもよい（図示せず）。走行手段２２０は平でなく凹凸のある溝底１１上を走行移動するに適当な走行手段として、溝底１１を転動する複数対のコロ２２１を用いて構成されている。円滑な走行移動を実現するにはコロ２２１の対は
少なくとも３対以上、カッター装置２００の長さに応じてできるだけ多数対を設けるとよい。
【００４２】
走行手段としては上記のコロ２２１に限らず、凹凸のある溝底１１上を円滑に走行移動可能な走行手段、例えば、図５に示すソリや図示されていない無端ベルト等で構成することもできる。
【００４３】
再び、図２及び図３において、刃部２０１は、溝１の側壁１２に対して溝１の内側から水平方向で自在に接離する揺動機構２１０を備えている。
実施例に示す揺動機構２１０は、後端側が走行手段２２０の車台２２２に回動自在に対して垂直に植設された回動軸２１５を介して枢着されて水平方向に回動する揺動腕２１１と、この揺動腕２１１から延在して先端に刃部２０１を有する刃部支持体２１２とを備えている。
【００４４】
揺動腕２１１の揺動端側には、車台２２２に穿ち設けられた揺動規制溝２２３に下端側が嵌合する規制ガイド棒２１３が設けられており、この揺動規制溝２２３と規制ガイド棒２１３とによって揺動腕２１１の揺動範囲が規制される。
尚、揺動駆動手段は図示していないが、適当な手段、例えば、電動機や油圧手段等を適宜用いればよい。又、図中の符号２１４は刃部２０１を駆動する電動機である。
【００４５】
カッター装置２００に、上記のような揺動手段２１０を設けることによって、側壁１２の切断位置２０２にカッター装置２００を位置させたまま、刃部２０１だけを切断部位２０２に接離させて切断することができ、しかも、切断部（２０２）の抵抗の大小に応じて刃部２０１の当接力の程度を適宜加減することができる。
【００４６】
図４において、溝側壁切断用カッター装置の別の一例を説明する。
この溝側壁切断用カッター装置３００は、刃部２０１が溝１の側壁１２に対して水平方向から自在に接離する揺動機構２００に加えて、刃部２０１が垂直方向に上下動自在な昇降機構３１０を備えた装置である。
【００４７】
尚、この溝側壁切断用カッター装置３００は、昇降機構３１０を除くその他の機構及び揺動機構２１０が、上記の溝側壁切断用カッター装置２００の構成と同様であるから同じ符号(図２及び図３)を用い、説明を省略する。
【００４８】
図示の昇降機構３１０は、ジャッキ３１１が用いられており、このジャッキ３１０を作業者がハンドル３１２で操作することによって、車台２２２と揺動機構２１０の揺動腕２１１との間に介在されたジャッキ３１１が上下方に伸縮することで、刃部２０１の溝底１１からの高さ位置を自在に調整することができる。
【００４９】
従って、このような昇降機構３１０を備えた溝側壁切断用カッター装置３００では、揺動機構２１０の有無に拘らず、溝底１１で走行移動させながら刃部２０１の高さ位置調節することができ、溝底１１に多少の凹凸や高低差があっても、従来に較べて、遥かに容易に、作業を継続させることができる。
【００５０】
図５において、溝側壁切断用カッター装置の更に別の一例を説明する。
この溝側壁切断用カッター装置４００は、走行手段としてソリを備えた構成としたものである。
ここでいうソリとは、必ずしもスキー板やスケート靴のソリのように先端側が湾曲しているものというような外形の如何に拘らず、凹凸のある溝底１１上を滑走可能な部材であれば、単なる板状部材でも、或いはパイプ部材等でもよい。
【００５１】
この溝側壁切断用カッター装置４００は、走行手段としてソリを備えた構成とした点が溝側壁切断用カッター装置３００と異なるだけで、その他の構成及び揺動機構２００や昇降機構３１０は同様であるから、同じ符号(図２、図３及び図４)を用い、その説明を省略する。
【００５２】
尚、上記実施例においては、溝１中に流水がある場合は、流水を止めたり、流水の迂回路を設けて作業にあたるのが好ましいが、流水が少なくカッター装置２００，３００，４００の作動に支障がない場合には、その必要がない。
又、流水があっても、或いは水中でも作動に支障がないように、カッター装置２００，３００，４００を適当な防水仕様構造としておくとよい。
又、上記実施例に示すカッター装置２００，３００，４００は溝底１１が平らな溝においても使用できること当然である。
【産業上の利用可能性】
【００５３】
本発明は、道路の側溝の側壁の上縁部を水平に切除する改修工事に限らず、広く既設溝、特にコンクリート製の側溝を持つ溝の改修工事に利用することができる。
【図面の簡単な説明】
【００５４】
【図１】溝内にカッター装置を下ろした状態を示す断面図である。
【図２】溝側壁切断用カッター装置２００の側面図である。
【図３】溝側壁切断用カッター装置２００の平面図である。
【図４】別の溝側壁切断用カッター装置３００の側面図である。
【図５】更に別の溝側壁切断用カッター装置４００の側面図である。
【符号の説明】
【００５５】
１      溝
１０    仮設床面
１１    溝底
１２    側壁
１１１  床面(仮設床面１０)
２００  カッター装置
２０１  刃部(カッター装置２００)
２０２  切断位置(側壁１２)
２１０  カッター手段(カッター装置２００)
２２０  走行手段(カッター装置２００)
２２１  コロ(走行手段２２０)
３００  カッター装置
３１０  揺動機構(カッター装置３００)
４００  カッター装置
４２０  ソリ(カッター装置４００)
【図１】
2010120257.tif 000003
【図２】
2010120257.tif 000004
【図３】
2010120257.tif 000005
【図４】
2010120257.tif 000006
【図５】
2010120257.tif 000007